(57)【特許請求の範囲】
【請求項１】
ボビン外周の断面コの字状の収納溝内にコイルを巻回させ、該コイルの始端及び終端を前記収納溝外側２カ所に設けられたターミナルにそれぞれ接続してなる電磁パウダクラッチにおいて、前記各ターミナルには、コイルをかしめ固定できるバレル部を有する圧着端子が固設されるとともに、前記収納溝の側壁には、コイルの始端及び終端をそれぞれコイル巻回方向に沿って曲がることなく前記各圧着端子のバレル部へ導く始端側配線溝と終端側配線溝が形成されていることを特徴とする電磁パウダクラッチ。
【請求項２】
前記始端側配線溝は、始端側の圧着端子のバレル部から略円周方向に前記収納溝の底部に向かって形成され、前記終端側配線溝は、収納溝の内側から前記終端側の圧着端子のバレル部に向かって略円周方向に形成されていることを特徴とする請求項１に記載の電磁パウダクラッチ。
【発明の詳細な説明】
【０００１】
【産業上の利用分野】
この発明は、電磁パウダクラッチに関し、詳しくは電磁パウダクラッチのボビンに巻回されたコイルの端部構造に関するものである。
【０００２】
【従来の技術及びその課題】
従来、電磁パウダクラッチは、コイルを内装したヨークと、ロータ間にパウダが入れられて、コイルに通電することにより、パウダを締結させて、前記ヨークとロータを締結させるように構成されており、コイルはヨーク内に設けられたボビンに巻回されており、図５の概略分解斜視図で示すように、コイル５の巻線部とターミナル６が接触するとショートするため、ターミナル６とコイル巻線部は離れた位置にあり、コイル５の終端５ｂは、コイルの巻回方向から約９０°曲げられてターミナル６まで引き出されてターミナル６に溶接されていた。なお、ターミナル６には小ネジ８を介しスリップリングアームの先端部１０が取り付けられて、このスリップリングアーム側から電流がターミナル６を通しコイル５に供給されるものである。
このような従来構造では、電磁パウダクラッチのボビンが運転時に発熱して膨脹すると、このボビンに巻回されたコイル５は、巻回方向Ｆに引っ張り荷重を受け、コイル終端５ｂの溶接部は熱により強度が低下しており、また、９０°折曲されて溶接されているため、この溶接部に曲げモーメントが作用して、終端５ｂの溶接部が断線しやすいという問題点があった。
【０００３】
【課題を解決するための手段】
本発明は上記従来の問題点に鑑み案出したものであって、発熱によっても断線が生じない電磁パウダクラッチを提供せんことを目的とし、その第１の要旨は、ボビン外周の断面コの字状の収納溝内にコイルを巻回させ、該コイルの始端及び終端を前記収納溝外側２カ所に設けられたターミナルにそれぞれ接続してなる電磁パウダクラッチにおいて、前記各ターミナルには、コイルをかしめ固定できるバレル部を有する圧着端子が固設されるとともに、前記収納溝の側壁には、コイルの始端及び終端をそれぞれコイル巻回方向に沿って曲がることなく前記各圧着端子のバレル部へ導く始端側配線溝と終端側配線溝が形成されていることである。
また、第２の要旨は、前記始端側配線溝は、始端側の圧着端子のバレル部から略円周方向に前記収納溝の底部に向かって形成され、前記終端側配線溝は、収納溝の内側から前記終端側の圧着端子のバレル部に向かって略円周方向に形成されていることである。
【０００４】
【実施例】
以下、本発明の実施例を図面に基づいて説明する。
図１は、電磁パウダクラッチの要部断面拡大構成図であり、電磁パウダクラッチ１は、内側に回転可能に設けられたロータ２の外周側にインナヨーク３ａが配置され、インナヨーク３ａの外側にアウタヨーク３ｂが配置されて、このインナヨーク３ａとアウタヨーク３ｂ間にボビン４が内装され、このボビン４は、アウタヨーク３ｂ側が解放された断面コの字状の収納溝４Ｓを外周全域に形成したものであり、このボビン４の外周の収納溝４Ｓ内にコイル５が巻回状に収納されており、ボビン４の収納溝４Ｓの側壁４ａの外面の２ヵ所にターミナル６が固設されて、この２ヵ所のそれぞれのターミナル６Ａ，６Ｂにコイル５の始端及び終端がそれぞれ接続されるものであるが、本例では、各ターミナル６Ａ，６Ｂに圧着端子７Ａ，７Ｂがそれぞれ取り付けられており、圧着端子７Ａ及び７Ｂはそれぞれワッシャ９を介在させて小ネジ８をターミナル６に締め付けて、スリップリングアームの先端部１０をターミナル６に取り付ける際に、小ネジ８を介して同時にターミナルに固定されるものである。なお、図中１１は側板であり、また、図中１２は充填された樹脂である。
【０００５】
例えば図２に示すように、ボビン４の収納溝４Ｓ内に巻回されたコイル５の終端５ｂは、終端側のターミナル６Ａに小ネジ８を締め付けて固定される終端側の圧着端子７Ａにかしめて固定されるものである。即ち、圧着端子７Ａは、コイルの終端５ｂを差込み、かつ、かしめて終端５ｂを固定させることのできる解放リング状のバレル部７ａを有しており、このバレル部７ａから連続してターミナル６Ａに当接する当接片７ｂが一体形成され、さらに当接片７ｂの先端に９０°折曲してネジ孔７ｄを有する固定片７ｃが一体形成されたものとなっており、ネジ孔７ｄ内に前記小ネジ８を通して締め付けることにより圧着端子７Ａはターミナル６Ａに固定されて、かつバレル部７ａでかしめ状にコイル５の終端５ｂを固定できるように構成されている。
【０００６】
図３では、ボビン４の収納溝４Ｓ内に巻回されたコイルの終端５ｂの部分の斜視図を示すが、ボビン４の収納溝４Ｓの側壁４ａには、コイルの終端５ｂを前記終端側圧着端子７Ａのバレル部７ａに向かって導くための終端側配線溝Ｍ２が形成されており、収納溝４Ｓ内に巻回させたコイル５の巻き終わり部分をこの終端側配線溝Ｍ２内に嵌め込むと、コイルの終端５ｂが巻回したコイル５と同一方向に沿って曲がることなく圧着端子のバレル部７ａに向かい、バレル部７ａに差込まれるように構成されており、終端側配線溝Ｍ２は、収納溝４Ｓの側壁４ａの内側から外側に向かって略円周方向に形成されたものである。
【０００７】
また、図４では、コイル５の始端側の斜視図を示すが、コイル５の巻き始めの始端５ａも、始端側のターミナル６Ｂに固定される圧着端子７Ｂのバレル部７ａにかしめて固定されるものであり、この始端側圧着端子７Ｂのバレル部７ａからボビン４の収納溝４Ｓ内にコイル５を導くために始端側配線溝Ｍ１が形成されており、この始端側配線溝Ｍ１は、収納溝４Ｓの側壁４ａに、前記バレル部７ａから略円周方向に収納溝４Ｓの底部４ｂに向かって形成されたものである。
従って、コイル５の始端５ａは始端側の圧着端子７Ｂに固定されて、始端側配線溝Ｍ１内に嵌め込まれてから収納溝４Ｓ内に巻回されるものであり、一方、コイル５の終端５ｂは図３のように、終端側の圧着端子７Ａに良好に固定されるものであり、従来のように、始端及び終端が無理に曲げられてターミナルに溶接されるものではなく、コイルの巻回方向と同一方向に曲げることなく始端５ａ及び終端５ｂが配置されて、バレル部７ａにかしめて良好にターミナル６Ａ，６Ｂに接続されるものとなり、始端５ａ及び終端５ｂは溶接されないため、熱による強度低下がなく、また、無理に曲げられていないため、ボビン４が熱膨脹してコイル５に引っ張り力が生じても、引っ張りモーメントがこの始端５ａ及び終端５ｂには作用することがなく、従来のように断線する恐れがない。
【０００８】
【発明の効果】
本発明は、ボビン外周の断面コの字状の収納溝内にコイルを巻回させ、該コイルの始端及び終端を前記収納溝外側２カ所に設けられたターミナルにそれぞれ接続してなる電磁パウダクラッチにおいて、前記各ターミナルには、コイルをかしめ固定できるバレル部を有する圧着端子が固設されるとともに、前記収納溝の側壁には、コイルの始端及び終端をそれぞれコイル巻回方向に沿って曲がることなく前記各圧着端子のバレル部へ導く始端側配線溝と終端側配線溝が形成されていることにより、コイルの始端及び終端は曲げられることなくコイルの巻回方向と同一方向に配設されて圧着端子のバレル部にかしめ固定されるため、熱膨脹により巻回したコイルに引っ張り力が作用しても始端及び終端にモーメントが作用しないため、コイル断線が生ずることがない。
【０００９】
また、前記始端側配線溝は、始端側の圧着端子のバレル部から略円周方向に前記収納溝の底部に向かって形成され、前記終端側配線溝は、収納溝の内側から前記終端側の圧着端子のバレル部に向かって略円周方向に形成されていることにより、コイルの始端側では始端側配線溝内に嵌め込んで先端を曲げることなく巻回方向に沿って圧着端子のバレル部にかしめ固定させることができ、また、巻回後のコイルの終端は終端側配線溝に嵌め込んで終端側の圧着端子のバレル部に曲げることなく接続固定させることができ、コイルの伸縮に対しコイルの終端及び始端に引っ張りモーメントが作用しないように良好に接続固定できる効果を有する。
【図面の簡単な説明】
【図１】電磁パウダクラッチの要部拡大断面構成図である。
【図２】コイルの終端を終端側の圧着端子のバレル部にかしめ固定させた状態の分解拡大斜視図である。
【図３】コイルの終端をボビンの終端側配線溝内に嵌め込んで終端側の圧着端子に固定させた状態のボビンに巻回されたコイルの拡大要部斜視構成図である。
【図４】ボビンの収納溝内にコイルを巻回し始めるコイル始端部分の拡大要部斜視構成図である。
【図５】従来のコイルの先端を曲げてターミナルに溶接した分解斜視図である。
【符号の説明】
１  電磁パウダクラッチ
２  ロータ
３ａ  インナヨーク
３ｂ  アウタヨーク
４  ボビン
４Ｓ  収納溝
４ａ  側壁
４ｂ  底部
５  コイル
５ａ  始端
５ｂ  終端
６Ａ，６Ｂ  ターミナル
７Ａ，７Ｂ  圧着端子
７ａ  バレル部
８  小ネジ
Ｍ１  始端側配線溝
Ｍ２  終端側配線溝
【図１】
0003806893.tif 000002
【図２】
0003806893.tif 000003
【図３】
0003806893.tif 000004
【図４】
0003806893.tif 000005
【図５】
0003806893.tif 000006